【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
検索クエリを自動的に生成するための方法であって、
クライアント装置上のアーティクルとユーザの対話から成るイベントをリアルタイムで取り込むステップと、
前記イベントがインデックス化できないイベントであるか否か決定するステップと、
インデックス化できないイベントであると決定された前記イベントに応じて、前記イベントに基づいて前記ユーザのための現在のユーザ状態を更新するステップと、
検索結果を生成するために前記現在のユーザ状態に基づいて検索クエリを自動的に生成するステップと、
前記検索結果の少なくとも一部を前記クライアント装置上で表示するステップと、
を具備する方法。
【請求項２】
前記アーティクルはクライアント側アプリケーションに関連する請求項１に記載の方法。
【請求項３】
前記イベントは予め定義されたイベント・スキーマ形式で取り込まれる請求項１に記載の方法。
【請求項４】
前記アーティクルとユーザの対話は、前記アーティクルをロードするステップを含む請求項１に記載の方法。
【請求項５】
前記アーティクルとユーザの対話は、前記アーティクルを保存するステップを含む請求項１に記載の方法。
【請求項６】
前記アーティクルとユーザの対話は、前記アーティクルを表示するステップを含む請求項１に記載の方法。
【請求項７】
前記アーティクルとのユーザの対話は、前記アーティクルのメタデータを更新するステップを含む請求項１に記載の方法。
【請求項８】
前記アーティクルの前記メタデータを更新するステップは、前記アーティクルをブックマークするステップを含む請求項７に記載の方法。
【請求項９】
前記アーティクルの前記メタデータを更新するステップは、前記アーティクルを印刷するステップを含む請求項７に記載の方法。
【請求項１０】
前記アーティクルの前記メタデータを更新するステップは、前記アーティクルを削除するステップを含む請求項７に記載の方法。
【請求項１１】
前記アーティクルの前記メタデータを更新するステップは、前記アーティクルを移動させるステップを含む請求項７に記載の方法。
【請求項１２】
更に、
インデックス化できるイベントであると決定された前記イベントに応じて、前記イベントをインデックスにインデックス化するステップを具備する請求項１に記載の方法。
【請求項１３】
更に、
第２の検索クエリを受け取るステップと、
前記イベントが前記第２の検索クエリに関連するか否かを、前記インデックスを検索することで決定するステップと、
前記第２の検索クエリに関連する前記イベントに応じて、前記アーティクルに基づいて第２の検索結果を生成するステップと、
を具備する請求項１２に記載の方法。
【請求項１４】
前記第２の検索クエリはユーザによって入力されるものである請求項１３に記載の方法。
【請求項１５】
更に、前記第２検索クエリに関連するネットワーク・アーティクルを検索するステップを具備する請求項１３に記載の方法。
【請求項１６】
前記アーティクルに基づいて前記検索結果を生成するステップは、前記アーティクル及び前記ネットワーク・アーティクルに基づいて前記検索結果を生成するステップを含む請求項１５に記載の方法。
【請求項１７】
更に、
過去に発生した過去イベントを取り込むステップであって、前記過去イベントはクライアント装置上の第２のアーティクルとユーザの対話から成ることと、
前記過去イベントがインデックス化できるイベントであるか否か決定するステップと、
インデックス化できる前記過去イベントに応じて、前記過去イベントに関連するイベントデータをインデックスにインデックス化するステップであって、前記過去イベントに関連する前記イベントデータは前記第２のアーティクルの少なくとも一部から成ることと、
前記過去イベントが前記検索クエリに関連するか否かを、前記インデックスを検索することで決定するステップと、
前記検索クエリに関連する前記過去イベントに応じて、前記第２のアーティクルを含む前記検索結果を生成するステップと、
を具備する請求項１記載の方法。
【請求項１８】
コンピュータで実行可能なプログラムを記憶したコンピュータ読み取り可能な媒体であって、このコンピュータプログラムは、コンピュータに、
リアルタイムでイベントを取り込む手順と、ここで、前記イベントはクライアント装置上のアーティクとユーザの対話から成り、
前記イベントがインデックス化できないイベントであるか否か決定する手順と、
インデックス化できないイベントであると決定された前記イベントに応じて、前記イベントに基づいて前記ユーザのための現在のユーザ状態を更新する手順と、
検索結果を生成するために前記現在のユーザ状態に基づいて検索クエリを自動的に生成する手順と、
前記検索結果の少なくとも一部を前記クライアント装置上で表示する手順と、
を実行させるためのプログラムである、コンピュータ読み取り可能な媒体。
【請求項１９】
前記アーティクルはクライアント側アプリケーションに関連する請求項１８に記載のコンピュータ読み取り可能な媒体。
【請求項２０】
前記イベントは予め定義されたイベント・スキーマ形式で取り込まれる請求項１８に記載のコンピュータ読み取り可能な媒体。
【請求項２１】
アーティクルとユーザの対話は、前記アーティクルをロードすることを含む請求項１８に記載のコンピュータ読み取り可能な媒体。
【請求項２２】
前記アーティクルとユーザの対話は、前記アーティクルを保存することを含む請求項１８に記載のコンピュータ読み取り可能な媒体。
【請求項２３】
前記アーティクルとユーザの対話は、前記アーティクルを表示することを含む請求項１８に記載のコンピュータ読み取り可能な媒体。
【請求項２４】
前記アーティクルとのユーザの対話は、前記アーティクルのメタデータを更新することを含む請求項１８に記載のコンピュータ読み取り可能な媒体。
【請求項２５】
前記アーティクルの前記メタデータを更新する際には、前記アーティクルをブックマークする請求項２４に記載のコンピュータ読み取り可能な媒体。
【請求項２６】
前記アーティクルの前記メタデータを更新する際には、前記アーティクルを印刷する請求項２４に記載のコンピュータ読み取り可能な媒体。
【請求項２７】
前記アーティクルの前記メタデータを更新する際には、前記アーティクルを削除する請求項２４に記載のコンピュータ読み取り可能な媒体。
【請求項２８】
前記アーティクルの前記メタデータを更新する際には、前記アーティクルを移動させる請求項２４に記載のコンピュータ読み取り可能な媒体。
【請求項２９】
前記コンピュータプログラムは、更に、コンピュータに、
インデックス化できるイベントであると決定された前記イベントに応じて、前記イベントをインデックスにインデックス化する手順を実行させるものである、請求項１８に記載のコンピュータ読み取り可能な媒体。
【請求項３０】
前記コンピュータプログラムは、更に、コンピュータに、
第２の検索クエリを受け取る手順と、
前記イベントが前記第２の検索クエリに関連するか否かを、前記インデックスを検索することで決定する手順と、
前記第２の検索クエリに関連する前記イベントに応じて、前記アーティクルに基づいて第２の検索結果を生成する手順と、
を実行させるものである、請求項２９に記載のコンピュータ読み取り可能な媒体。
【請求項３１】
前記第２の検索クエリはユーザによって入力される請求項３０に記載のコンピュータ読み取り可能な媒体。
【請求項３２】
前記コンピュータプログラムは、更に、コンピュータに、前記第２の検索クエリに関連するネットワーク・アーティクルを検索する手順を実行させるものである請求項３０に記載のコンピュータ読み取り可能な媒体。
【請求項３３】
前記アーティクルに基づいて前記検索結果を生成する手順は、前記アーティクル及び前記ネットワーク・アーティクルに基づいて前記検索結果を生成することを含む請求項３２に記載のコンピュータ読み取り可能な媒体。
【請求項３４】
前記コンピュータプログラムは、更に、コンピュータに、
過去に発生した過去イベントを取り込む手順と、ここで、前記過去イベントはクライアント装置上の第２のアーティクルとユーザの対話から成り、
前記過去イベントがインデックス化できるイベントであるか否か決定する手順と、
インデックス化できる前記過去イベントに応じて、前記過去イベントに関連するイベントデータをインデックスにインデックス化する手順と、ここで、前記過去イベントに関連する前記イベントデータは前記第２のアーティクルの少なくとも一部から成り、
前記過去イベントが前記検索クエリに関連するか否かを、前記インデックスを検索することで決定する手順と、
前記検索クエリに関連する前記過去イベントに応じて、前記第２のアーティクルを含む前記検索結果を生成する手順と、
を実行させるものである、請求項１８記載のコンピュータ読み取り可能な媒体。
【請求項３５】
検索クエリを自動的に生成するためのシステムであって、
イベントをリアルタイムで取り込むように構成されたキャプチャ・プロセッサと、ここで、前記イベントはクライアント装置上のアーティクルとユーザの対話から成り、前記キャプチャ・プロセッサは更に、前記イベントがインデックス化できないイベントであるか否か決定するように構成され、インデックス化できないイベントであると決定された前記イベントに応じ、前記イベントに基づいて前記ユーザのための現在のユーザ状態を更新するように構成され、および、前記現在のユーザ状態に基づいて検索クエリを自動的に生成するように構成されており、
前記検索クエリのための検索結果を生成するように構成された検索エンジンと、
前記検索結果の少なくとも一部を表示するように構成されたクライアント装置と、
を具備するシステム。
【請求項３６】
前記検索エンジンは更に、インデックス化できるイベントであると決定された前記イベントに応じて前記イベントをインデックスにインデックス化するように構成される請求項３５に記載のシステム。
【手続補正２】
【補正対象書類名】明細書
【補正対象項目名】０００１
【補正方法】削除
【補正の内容】